(57)【要約】【課題】  小型の脚柱でありながら、高強度で物品支持用の横杆を挟持する挟持体を脚柱に取り付け可能とした家具用脚体を提供する。【解決手段】脚柱６を断面ほぼ方形の角管状とし、その四隅部に、外向きに膨出する厚肉部９を形成するとともに、前後面における互いに隣接する厚肉部９間に上下方向を向く凹溝１１を設け、各厚肉部９に形成した上下方向を向くめねじ孔１０に、下部挟持体７の上方から挿入したボルトを螺合することにより、該下部支持体７を脚柱６の上端に締着するとともに、両凹溝１１の下方より下部挟持体７に挿通したボルトを、上部挟持体８に締着することにより、横杆を挟持して、下部挟持体７と上部挟持体８とを固定する。【選択図】  図２
2006158739.tif 000002
【特許請求の範囲】
【請求項１】
脚柱の上端に取付けた下部挟持体と、この下部挟持体に取付けられる上部挟持体とにより、家具の構成部品を支持する左右方向を向く横杆を挟持しうるようにした家具用脚体において、
前記脚柱を断面ほぼ方形の角管状とし、その四隅部に、外向きに膨出する厚肉部を形成するとともに、前後面における互いに隣接する厚肉部間に上下方向を向く凹溝を設け、前記各厚肉部に形成した上下方向を向くめねじ孔に、前記下部挟持体の上方から挿入したボルトを螺合することにより、該下部支持体を脚柱の上端に締着するとともに、前記両凹溝の下方より前記下部挟持体に挿通したボルトを、前記上部挟持体の下端部に設けためねじ孔に螺合して締着することにより、前記横杆を挟持して、下部挟持体と上部挟持体とを固定したことを特徴とする家具用脚体。
【請求項２】
下部挟持体と上部挟持体を、左右寸法が脚柱の左右寸法と等しく、前後寸法が脚柱の前後寸法よりも僅かに大きい平面視ほぼ楕円形とし、上下の挟持体の前後の端部同士を、脚柱の凹溝の下方より挿入したボルトにより固定した請求項１記載の家具用脚体。
【請求項３】
上部挟持体と下部挟持体との対向面に、横杆が嵌合する嵌合溝を設けた請求項１または２記載の家具用脚体。
【請求項４】
厚肉部を円弧状凸面とし、凹溝を、前記円弧状凸面に連なる円弧状凹面に形成してなる請求項１〜３のいずれかに記載の家具用脚体。
【請求項５】
下部挟持体の下面および脚柱の下端に取付けられるベース脚の上面に係合溝を形成し、それぞれの係合溝に、脚柱の上端と下端を嵌合させて取付けてなる請求項１〜４のいずれかに記載の家具用脚体。
【発明の詳細な説明】
【技術分野】
【０００１】
本発明は、例えば、テーブルの天板や卓板あるいは椅子の座板等を載架して支持することにより家具を構成しうるようにした家具用脚体に関する。
【背景技術】
【０００２】
従来、脚柱上に脚笠木をボルトにより取り付け、この脚笠木上にグランドピアノを載置したグランドピアノの脚体がある（例えば、特許文献１参照）。
また、同様に脚柱上に天板支持要素をねじにより取り付け、この天板支持要素上に天板を取り付けたテーブルの脚体もある（例えば、特許文献２参照）。
【特許文献１】特開平１０−８３１８１号公報
【特許文献２】特開２００２−１７７０５４号公報
【発明の開示】
【発明が解決しようとする課題】
【０００３】
しかしながら、特許文献１に記載されている脚体は、方形断面の脚柱の四隅部にボルトが植え込まれた構造であるため、断面積の小さい脚柱では、４本のボルトが植え込まれためねじ孔の強度が小さくなるという問題があり、小さな脚柱への適用が困難である。
また、特許文献２の脚体は、脚柱の上下両端の中心に設けためねじに、それぞれ天板支持ブラケット（天板支持要素）とベース脚（足要素）を、１本のボルトでねじ止めしただけであるので、高い取付強度は得られず、支柱やブラケットにぐら付きが生じやすいという問題がある。
【０００４】
本発明は、従来の技術が有する上記のような問題点に鑑み、小型の脚柱でありながら、高強度で物品支持用の横杆を挟持する挟持体を脚柱に取り付け可能とした家具用脚体を提供することを目的としている。
【課題を解決するための手段】
【０００５】
本発明によると、上記課題は、次のようにして解決される。
(１)脚柱の上端に取付けた下部挟持体と、この下部挟持体に取付けられる上部挟持体とにより、家具の構成部品を支持する左右方向を向く横杆を挟持しうるようにした家具用脚体において、前記脚柱を断面ほぼ方形の角管状とし、その四隅部に、外向きに膨出する厚肉部を形成するとともに、前後面における互いに隣接する厚肉部間に上下方向を向く凹溝を設け、前記各厚肉部に形成した上下方向を向くめねじ孔に、前記下部挟持体の上方から挿入したボルトを螺合することにより、該下部支持体を脚柱の上端に締着するとともに、前記両凹溝の下方より前記下部挟持体に挿通したボルトを、前記上部挟持体の下端部に設けためねじ孔に螺合して締着することにより、前記横杆を挟持して、下部挟持体と上部挟持体とを固定する。
【０００６】
(２)上記(１)項において、下部挟持体と上部挟持体を、左右寸法が脚柱の左右寸法と等しく、前後寸法が脚柱の前後寸法よりも僅かに大きい平面視ほぼ楕円形とし、上下の挟持体の前後の端部同士を、脚柱の凹溝の下方より挿入したボルトにより固定する。
【０００７】
(３)上記(１)または(２)項において、上部挟持体と下部挟持体との対向面に、横杆が嵌合する嵌合溝を設ける。
【０００８】
(４)上記(１)〜(３)項のいずれかにおいて、厚肉部を円弧状凸面とし、凹溝を、前記円弧状凸面に連なる円弧状凹面に形成する。
【０００９】
(５)上記(１)〜(４)項のいずれかにおいて、下部挟持体の下面および脚柱の下端に取付けられるベース脚の上面に係合溝を形成し、それぞれの係合溝に、脚柱の上端と下端を嵌合させて取付ける。
【発明の効果】
【００１０】
本発明によると、次のような効果を奏することができる。
(ａ)請求項１記載の発明によると、脚柱の四隅部に形成した厚肉部にめねじ孔を設けているので、めねじ孔形成部の強度が大きくなり、脚柱の前後左右寸法を増大させることなく、下部挟持体の締着強度を高くすることができる。
また、厚肉部間の凹溝を利用して、ボルトを、下方より下部挟持体を挿通させて上部挟持体に強固に締着することが可能となるので、下部挟持体と上部挟持体の前後左右寸法を、脚柱のそれと同等もしくは若干大とするだけでよく、上下の挟持体を小型化することができる。
【００１１】
(ｂ)請求項２記載の発明によると、上下の挟持体が、脚柱より大きくはみ出さないので、脚柱と一体感を呈し、見栄えの良好な脚体が得られる。
【００１２】
(ｃ)請求項３記載の発明によると、上部挟持体と下部挟持体の対向面の嵌合溝に横杆を嵌合させることにより、横杆を高強度で上下の挟持体により挟持することができる。
【００１３】
(ｄ)請求項４記載の発明によると、厚肉部および凹溝が円弧面をなして連続しているので、押し出し成型等により脚柱を容易に成型することができるとともに、脚柱外周面に角部が形成されないので見栄えも良好となる。
【００１４】
(ｅ)請求項５記載の発明によると、脚柱の上端と下端とを、容易に位置決めして下部挟持体およびベース脚に固定しうるとともに、脚柱のぐら付き等を防止することができる。
【発明を実施するための最良の形態】
【００１５】
以下、本発明の実施形態を図面を参照して説明する。
図１は、本発明の家具用脚体を適用した３連式折畳み椅子の正面図、図２は、脚体の分解斜視図、図３は、図１の右端部を拡大して示す一部切欠き正面図、図４は、図３の一部切欠き左側面図、図５〜図７は、それぞれ図４のＶ−Ｖ線、ＶI−ＶI線およびVII−VII線断面図である。
【００１６】
図１に示すように、３連式折畳み椅子(Ａ)は、左右１対の脚体(１)(１)と、この脚体(１)(１)に両端が支持された角管状の横杆(２)と、この横杆(２)上に設けられた、座(３)と背凭れ(４)とからなる椅子本体(５)とを有している。横杆(２)の両端は、キャップ(2a)により塞がれている。
左右の脚体(１)(１)は、下部の脚柱(６)と、この脚柱(６)の上端に取り付けられた下部挟持体(７)と、この下部挟持体(７)上の取り付けられた上部挟持体(８)とを有している。
【００１７】
図２に示すように、脚柱(６)は、アルミニウム合金等を押し出し成形することにより、断面ほぼ方形の角管状に形成され、その四隅部には、前後方向に膨出する厚肉部(９)が形成され、各厚肉部(９)の上下の端部には、めねじ孔(10)が、上下方向に向かって形成されている。
【００１８】
脚柱(６)の前後両面における互いに隣接する厚肉部(９)(９)間に位置する中央部には、内方に向かって凹入する凹溝(11)が、上下方向に向かって形成されている。図示のように、厚肉部(９)を円弧状凸面、凹溝(11)を円弧状凹面として互いに連続させることにより、それらを押し出し成形により簡単に形成しうるとともに、脚柱(６)に角部が形成されないので、見栄えを向上することができる。なお、厚肉部(９)および凹溝(11)の形状は円弧状に限定されるものではない。
また、厚肉部(９)は、脚柱(６)の対角線方向に膨出させて形成することもある。
【００１９】
下部挟持体(７)は、脚柱(６)の左右寸法(Ｗ)と同一の左右寸法(Ｗ)（図５参照）を有する平面視ほぼ楕円形をなす取付ベース(12)の前後両側に、上方を向く１対の半月状の突出部(13)(13)が形成され、かつこの両突出部(13)(13)間には、左右方向と上面に開放する嵌合溝(14)が形成されている。
【００２０】
突出部(13)には、貫通孔(15)が形成され、嵌合溝(14)の底面には、突出部(13)の内壁面を円弧状にえぐるようにして、上記脚柱(６)のめねじ孔(10)と整合する４個の段付孔(16)が貫設されている。
【００２１】
嵌合溝(14)の底面中央に形成された凹部(17)の底面には、中心にめねじ孔(18)を有する突部(19)が、その上端と嵌合溝(14)の底面とが同一面をなすように突設されている。
【００２２】
上部挟持体(８)は、座支持部(20)と、その前後の下面に突設された１対の挟持片(21)(21)を備え、両挟持片(21)の間には、左右方向と下方に開放する嵌合溝(22)が形成されている。
【００２３】
図４に示すように、上下の挟持体(７)(８)の嵌合溝(14)(22)の前後方向の溝幅は、横杆(２)に上下より嵌合しうるように、その前後寸法とほぼ等しくされている。
両挟持片(21)の下部には、下部挟持体(７)の貫通孔(15)と整合するめねじ孔(23)が形成されている（図４参照）。
【００２４】
座支持部(20)の内側面には、座(３)の一側端部を回動可能に支持する支軸(24)が内向きに突設され、上部には背凭れ(４)を取り付ける背凭れ取付杆(25)が、斜め後ろ上方に向かって連設されている。
【００２５】
座(３)の他側端部は、上記上部挟持体(８)と左右対称をなす左方の上部挟持体(８)の内側面に突設した支軸（図示略）により支持されており、座(３)は、その不使用時に両支軸(24)を中心として上方に折り畳み可能となっている。
【００２６】
また座(３)は、その支軸(24)よりも前方の下面が、座支持部(20)の内向突部(20a)の上面に当接することにより、水平の使用状態となる。
【００２７】
下部挟持体(７)の下面には、位置決め用の係合溝(26)が形成されており、この係合溝(26)を、脚柱(６)の上端に、嵌合溝(14)が左右方向を向くように嵌合させたのち、下部挟持体(７)の各段付孔(16)と脚柱(６)のめねじ孔(10)とを合致させ、段付孔(16)からボルト(27)をめねじ孔(10)にねじ込むことにより、下部挟持体(７)を脚柱(６)の上端に固定する。
【００２８】
次いで、下部挟持体(７)の嵌合溝(14)に角管状の横杆(２)の側端下部を嵌合させ、この横杆(２)の上部に上部挟持体(８)の嵌合溝(22)を上から嵌合させる。この際、図４に示すように、下部挟持体(７)の中央の突部(19)におけるめねじ孔(18)に、予め、ねじ(28)を螺合しておき、その頭部に、横杆(２)の側端部下面に穿設した通孔(29)を嵌合するようにすれば、横杆(２)が左右方向に位置ずれすることなく、容易に位置決めすることができる。
【００２９】
次いで、下部挟持体(７)の前後両面の凹溝(11)の下方から、ボルト(30)を貫通孔(15)に挿入し、この貫通孔(15)と整合する挟持片(21)のめねじ孔(23)にねじ込む。この際、図６に示すように、前後の凹溝(11)により、脚柱(６)の前後の面は、ボルト(30)の頭部から逃げた状態となり、ボルト(30)のねじ込み作業を下部挟持体(７)の下方から支障なく行うことができる。
【００３０】
図４に示すように、脚柱(６)の下端には、前後方向を向くベース脚(31)が、次のようにして取り付けられている。
ベース脚(31)の上面には、係合溝(32)が形成され、この係合溝(32)に脚柱(６)の下端を嵌合させ、ベース脚(31)の下方から脚柱(６)の下端部の４個のめねじ孔(10)にボルト(33)をねじ込むことにより、ベース脚(31)は脚柱(６)の下端に固着されている。
このように、脚柱(６)の上下両端を係合溝(26)(32)に嵌合させた状態で、ボルト止めすることにより、ベース脚(31)、脚柱(６)、および下部挟持体(７)が互いにがた付くことなく安定的に固定される。
【００３１】
以上のようにして組み付けられた左右の脚体(１)により、横杆(２)の両端部が支持され、左右両側の椅子本体(５)の外側端部は左右の脚体(１)と横杆(２)とにより支持され、また椅子本体(５)の内側端部は、上記脚体(１)から脚柱(６)を省略した、上記と同様の下部挟持体(７)および上部挟持体(８)により横杆(２)の中間部を挟持することにより、支持されている。座(３)の両側端は、左右に対向する上部挟持体(８)における支軸(24)により、回動可能に支持されている。
【００３２】
以上のように、本発明の家具用脚体は、角管状の脚柱(６)の四隅部に、外方に膨出する厚肉部(９)を形成し、これにめねじ孔(10)を設けたので、脚柱(６)の断面形状を増大させることなく、めねじ孔(10)形成部の強度を高めることができる。  また厚肉部(９)(９)間の凹溝(11)を利用することにより、締着するボルト(30)を、下部挟持体(７)の下方から上部挟持体(８)に向けて支障なく締着することができるとともに、上下の挟持体(７)(８)の前後寸法を、脚柱(６)の前後寸法より僅かに大とするのみでよいので、それらを小型化することができ、見栄えがよくなる。
【００３３】
上記実施形態では、家具用脚体を３連タイプの椅子に適用した例を示したが、本発明は、これに限定されず、単体の椅子、テーブルの天板、その他横杆(２)に取り付け可能な全ての家具用脚体に適用することができる。
【図面の簡単な説明】
【００３４】
【図１】本発明の家具用脚体を適用した椅子の正面図である。
【図２】同じく、家具用脚体の分解斜視図である。
【図３】同じく、図１の右端部を拡大して示す一部切欠き正面図である。
【図４】同じく、図３の一部切欠き左側面図である。
【図５】同じく、図４のＶ−Ｖ線横断底面図である。
【図６】同じく、図４のＶI−ＶI線横断底面図である。
【図７】同じく、図４のVII−VII線横断平面図である。
【符号の説明】
【００３５】
(１)脚体
(２)横杆
(３)座
(４)背凭れ
(５)椅子本体
(６)脚柱
(７)下部挟持体
(８)上部挟持体
(９)厚肉部
(10)ねじ孔
(11)凹溝
(12)取付ベース
(13)突出部
(14)嵌合溝
(15)貫通孔
(16)段付孔
(17)凹部
(18)めねじ孔
(19)突部
(20)座支持部
(20a)内向突部
(21)挟持片
(22)嵌合溝
(23)めねじ孔
(24)支軸
(25)背凭れ取付杆
(26)係合溝
(27)ボルト
(28)ねじ
(29)通孔
(30)ボルト
(31)ベース脚
(32)係合溝
(33)ボルト
(Ａ)椅子（家具）
【図１】
2006158739.tif 000003
【図２】
2006158739.tif 000004
【図３】
2006158739.tif 000005
【図４】
2006158739.tif 000006
【図５】
2006158739.tif 000007
【図６】
2006158739.tif 000008
【図７】
2006158739.tif 000009